(57)【要約】【課題】停電時に小容量の非常用電源により便器清浄を行なうことができる便器装置を提供する。【解決手段】本発明の便器装置(1)は、汚物を受けるボウル部(12)と、このボウル部に接続され汚物を排出すると共にボウル部に溜水を形成する排水トラップ部(14)と、給水源(24)に接続されボウル部に洗浄水を供給する洗浄水給水手段(60)と、ボウル部内に進出して所定方向に洗浄水を噴出するノズル部を備えた局部洗浄装置(8)と、洗浄水給水手段と局部洗浄装置を電気的に駆動させる制御部(62)であって、この制御部は、洗浄水給水手段と局部洗浄装置を通常電源により電気的に駆動させる「通常動作モード」と、停電時に洗浄水給水手段のみを非常用電源により電気的に駆動させる「異常動作モード」とを設定する制御部と、停電時に通常動作モードから異常動作モードへ切替えるモード切替手段(62,88)と、を有する。【選択図】図４
2013028956.tif 000002
【特許請求の範囲】
【請求項１】
供給電力により電気的に駆動される便器装置であって、
汚物を受けるボウル部と、
このボウル部に接続され汚物を排出すると共に上記ボウル部に溜水を形成する排水トラップ部と、
給水源に接続され上記ボウル部に洗浄水を供給する洗浄水給水手段と、
上記ボウル部内に進出して所定方向に洗浄水を噴出するノズル部を備えた局部洗浄装置と、
上記洗浄水給水手段と上記局部洗浄装置を電気的に駆動させる制御部であって、この制御部は、上記洗浄水給水手段と上記局部洗浄装置を通常電源により電気的に駆動させる通常動作モードと、停電時に上記洗浄水給水手段のみを非常用電源により電気的に駆動させる異常動作モードとを設定する上記制御部と、
停電時に上記通常動作モードから異常動作モードへ切替えるモード切替手段と、
を有することを特徴とする便器装置。
【請求項２】
上記モード切替手段は、使用者により切替えられるマニュアルスイッチである請求項１に記載の便器装置。
【請求項３】
更に、上記モード切替手段により上記異常動作モードに切替えられた場合に非常用電源から電力を供給するための電源プラグを有する請求項１又は請求項２に記載の便器装置。
【発明の詳細な説明】
【技術分野】
【０００１】
本発明は、便器装置に係わり、特に、供給電力により電気的に駆動される便器装置に関する。
【背景技術】
【０００２】
最近では、便器洗浄、局部洗浄、便座暖房、便蓋・便座開閉等を、一つの制御部により電気的に駆動させるようにした便器装置が普及してきている。このような便器装置の場合、停電になり電力供給が止まった場合には、便器本体を使用することが出来なくなるため、例えば、特許文献１に示されたような、バックアップ用電源を設ける必要がある。
【０００３】
特許文献１に示された便器装置は、トラップ部の自由端である後端が上下方向反転自在となった特殊な構造の便器である。この便器装置においては、トラップ部の後端を上下方向反転するためのトラップ駆動手段と、便蓋・便座を開閉するための便座・便蓋開閉駆動手段を同一電源により駆動させている。さらに、この便器装置においては、停電時に、これらのトラップ駆動手段及び便座・便蓋開閉手段を駆動させるためのバックアップ用電源が設けられている。
【０００４】
この便器装置は、洗浄スイッチが操作された後の洗浄動作において、便座・便蓋開閉駆動操作スイッチを操作しても、トラップ部の後端が上向きとなっていない状態では、優先的にトラップ駆動手段のみの動作が行なわれ、その後、便座・便蓋の開閉が行なわれ、一方、トラップ部の後端が上向きとなっている状態では、便座・便蓋開閉駆動手段による便座・便蓋の開閉を行なうようになっている。このため、この便器装置によれば、洗浄動作中に停電になった場合でも、トラップ駆動手段と便座・便蓋開閉駆動手段が同時に駆動されることがないので、バックアップ用電源として電流容量が大きなものが必要でなくなる。
【先行技術文献】
【特許文献】
【０００５】
【特許文献１】特開２０００−２４０１３５号公報
【発明の概要】
【発明が解決しようとする課題】
【０００６】
上述した特許文献１の便器装置は、トラップ部の自由端である後端が上下方向反転自在となった特殊な構造を前提としたものであり、他の一般的な構造の便器装置に適用できるものではない。
【０００７】
一般的に、停電時に対応するためにバックアップ用電源を設ける場合には、一つの制御部により、便器洗浄、局部洗浄、便座暖房、便蓋・便座開閉等を駆動させるので、全体として大容量のバックアップ用電源が必要となる。バックアップ用電源が大容量化すれば、コストアップにもなり、好ましくない。
また、バックアップ用電源を使用せずに汚物を溜水の洗浄動作により排出する場合には、使用者は、バケツ等に水を汲み、便器のボウル部に洗浄水を流し込む必要があるが、このような方法も、使用者に手間と負担がかかり、特に高齢者や疾病者には好ましいものではない。
【０００８】
そこで、本発明は、停電時に小容量の非常用電源により便器洗浄を行なうことができる便器装置を提供することを目的としている。
【課題を解決するための手段】
【０００９】
上記の目的を達成するために、本発明は、供給電力により電気的に駆動される便器装置であって、汚物を受けるボウル部と、このボウル部に接続され汚物を排出すると共にボウル部に溜水を形成する排水トラップ部と、給水源に接続されボウル部に洗浄水を供給する洗浄水給水手段と、ボウル部内に進出して所定方向に洗浄水を噴出するノズル部を備えた局部洗浄装置と、洗浄水給水手段と局部洗浄装置を電気的に駆動させる制御部であって、この制御部は、洗浄水給水手段と局部洗浄装置を通常電源により電気的に駆動させる通常動作モードと、停電時に洗浄水給水手段のみを非常用電源により電気的に駆動させる異常動作モードとを設定する制御部と、停電時に通常動作モードから異常動作モードへ切替えるモード切替手段と、を有することを特徴としている。
このように構成された本発明においては、制御部が、洗浄水給水手段と局部洗浄装置を通常電源により電気的に駆動させる通常動作モードと、停電時に洗浄水給水手段のみを非常用電源により電気的に駆動させる異常動作モードとを設定し、モード切替手段により、停電時に通常動作モードから洗浄水給水手段のみを駆動させる異常動作モードへ切替えるので、局部洗浄装置を備えた便器装置であっても、停電時には、局部洗浄動作等よりも機能的に優先順位の高い便器洗浄動作を実現するために、洗浄水給水手段によるボウル部の洗浄のみを実行して停電時の電力使用量を最低限の量とすることができる。その結果、本発明によれば、停電時に、ボウル部洗浄のみを実行する最低限の電力で足りるので、非常用電源の容量を小さくすることができる。
【００１０】
本発明において、好ましくは、モード切替手段は、使用者により切替えられるマニュアルスイッチである。
このように構成された本発明においては、使用者が、停電時の状況に応じて、マニュアルスイッチにより、通常動作モードから洗浄水給水手段のみを非常用電源により電気的に駆動させる異常動作モードへ切替えることができるので、安心して便器を使用することができる。
【００１１】
本発明は、好ましくは、更に、モード切替手段により異常動作モードに切替えられた場合に非常用電源から電力を供給するための電源プラグを有する。
このように構成された本発明においては、停電時に非常用電源から電力を供給する電源プラグを設けたので、蓄電池等の市販の非常用電源を用いることができる。さらに、停電時に非常用電源を準備することもできる。
【発明の効果】
【００１２】
本発明の便器装置によれば、停電時に小容量の非常用電源により便器洗浄を行なうことができる。
【図面の簡単な説明】
【００１３】
【図１】本発明の第１実施形態による便器装置を示す全体斜視図である。
【図２】本発明の第１実施形態による便器装置の便器本体を示す全体構成図である。
【図３】本発明の第１実施形態による便器装置の局部洗浄装置のノズルユニットを示す斜視図である。
【図４】本発明の第１実施形態による便器装置を示すブロック図である。
【図５】本発明の第１実施形態による便器装置の制御内容を示すフローチャートである。
【図６】本発明の第２実施形態による便器装置を示すブロック図である。
【図７】本発明の第３実施形態による便器装置を示すブロック図である。
【発明を実施するための形態】
【００１４】
次に、添付図面を参照して、本発明の実施形態による便器装置を説明する。
先ず、図１乃至図４により、本発明の第１実施形態による便器装置の構造を説明する。ここで、図１は本発明の第１実施形態による便器装置を示す全体斜視図であり、図２は本発明の第１実施形態による便器装置の便器本体を示す全体構成図であり、図３は本発明の第１実施形態による便器装置の局部洗浄装置のノズルユニットを示す斜視図であり、図４は本発明の第１実施形態による便器装置を示すブロック図である。
【００１５】
図１に示すように、本発明の第１実施形態による便器装置１は、便器本体２と、この便器本体２の上面に配置された便座４と、便座４を覆うように配置されたカバー６と、便器本体２の後方上部に配置された局部洗浄装置８と、を備えている。さらに、便器本体２の後方には、機能部１０が配置されており、この機能部１０はサイドパネル１０ａにより覆われている。
【００１６】
図２に示すように、便器本体２には、汚物を受けるボウル部１２と、このボウル部１２の底部から延びる排水トラップ管路１４と、ジェット吐水を行うジェット吐水口１６と、リム吐水を行うリム吐水口１８が形成されている。
ジェット吐水口１６は、ボウル部１２の底部に形成されており、洗浄水を排水トラップ管路１４に向けて吐出するようになっている。リム吐水口１８は、ボウル部１２の一方の側上部後方に形成されており、ボウル部１２の縁に沿って洗浄水を吐出するようになっている。
【００１７】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。さらに、ボウル部１２には、溜水が形成されるが、この溜水の溜水面Ｗは、排水トラップ管路１４の頂部１４ｄの高さ位置により決定される。
【００１８】
なお、トラップ管路１４のトラップ下降管１４ｃの下端には、排水配管１５が接続されている。また、トラップ下降管１４ｃの下端は、排水ソケット１７（図４参照）を介して排水配管１５に接続されるようにしてもよい。
【００１９】
便器装置１は、水道である給水源２４に直結されており、水道の給水圧力によりリム吐水口１８から洗浄水が吐出される。また、ジェット吐水に関しては、機能部１０に内蔵された貯水タンク３２に貯水された洗浄水を加圧ポンプ３４によって加圧して、ジェット吐水口１６から吐出させるようになっている。
【００２０】
次に、機能部１０には、定流量弁２０と、電磁弁２２が設けられている。さらに、給水路１９には、タンクへの給水とリム吐水を切り替える切替弁２８と、貯水タンク３２と、加圧ポンプ３４が内蔵されている。また、機能部１０には、電磁弁２２の開閉操作、切替弁２８の切換操作、及び、加圧ポンプ３４の回転数や作動時間等を制御するコントローラ４０が内蔵されている。
【００２１】
定流量弁２０は、給水源（水道）から流入した洗浄水を、所定の流量以下に絞るためのものである。この定流量弁２０を通過した洗浄水は、電磁弁２２に流入し、電磁弁２２を通過した洗浄水は、切替弁２８により、リム吐水口１８又は貯水タンク３２に供給されるようになっている。この切替弁２８は、リム側であるリム側給水路１８ａとタンク側であるタンク側給水路３２ａの両方に同じタイミングで洗浄水を供給可能であって、リム側とタンク側への給水量の割合を任意に変更することができる切替弁である。
【００２２】
電磁弁２２は、コントローラ４０の制御信号により開閉され、供給された洗浄水を切替弁２８に流入させ、又は停止させるようになっている。また、切替弁２８は、コントローラ４０の制御信号により切り替えられ、電磁弁２２を介して流入した洗浄水をリム吐水口１８から吐出させ、又は、貯水タンク３２に流入させるようになっている。
【００２３】
貯水タンク３２は、ジェット吐水口１６から吐水すべき洗浄水を貯水するように構成されている。貯水タンク３２の内部には、上端フロートスイッチ３２ｂ及び下端フロートスイッチ３２ｃが配置されており、貯水タンク３２内の水位を検出できるようになっている。上端フロートスイッチ３２ｂは、貯水タンク３２内の水位が所定の貯水水位に達するとオンに切り替わり、コントローラ４０はこれを検知して、電磁弁２２を閉鎖させる。一方、下端フロートスイッチ３２ｃは、貯水タンク３２内の水位が所定の水位まで低下するとオンに切り替わり、コントローラ４０はこれを検知して、加圧ポンプ３４を停止させる。
【００２４】
加圧ポンプ３４は、貯水タンク３２に貯水された洗浄水を加圧して、ジェット吐水口１６から吐出させるためのものである。加圧ポンプ３４は、貯水タンク３２の下部から延びる洗浄水管路３４ａにより接続され、貯水タンク３２内に貯水された洗浄水を加圧する。
【００２５】
一方、加圧ポンプ３４の流出口は、洗浄水管路３４ｂを介して、ボウル部１２底部のジェット吐水口１６に接続されている。
【００２６】
コントローラ４０は、使用者による便器洗浄スイッチ（後述するリモコンスイッチ２６の一部）の操作により、電磁弁２２、切替弁２８、加圧ポンプ３４を順次作動させ、リム吐水口１８及びジェット吐水口１６からの吐水を順次開始させて、ボウル部１２を洗浄する。さらに、コントローラ４０は、洗浄終了後、電磁弁２２を開放し、切替弁２８を貯水タンク３２側に切り替えて洗浄水を貯水タンク３２に補給する。貯水タンク３２内の水位が上昇し、上端フロートスイッチ３２ｂが規定の貯水量を検出すると、コントローラ４０は、電磁弁２２を閉鎖して給水を停止する。
【００２７】
次に、図３により、局部洗浄装置８を説明する。局部洗浄装置８は、使用者の「おしり」などの局部を洗浄水で洗浄するための装置である。この局部洗浄装置８は、図３に示すノズルユニット４２を備えている。このノズルユニット４２には、給水源（水源）から供給された洗浄水が、流量調節、温度調節、圧力変調等なされた後、供給されるようになっている。さらに、局部洗浄装置８においては、洗浄水がヒーター（図示せず）により３５〜４０℃に加温されるようになっているため、大量の電力が消費される。このため、局部洗浄装置８を停電時に使用する場合には、大容量の非常用電源や無停電電源等が必要となる。
【００２８】
ノズルユニット４２は、取付台４４と、取付台４４に支持されたノズル４６と、ノズル４６を移動させるノズルモータ４８とを備えている。ノズル４６は、その先端に吐水口４７を備え、図３に表した矢印Ａのように、ベルトなどの伝動部材５０を介してノズルモータ４８から伝達される駆動力により、取付台４４に対して摺動自在に設けられている。すなわち、ノズル４６は、ノズル４６自身の軸方向（進退方向）に直進移動することができる。そして、ノズル４６は、取付台４４から、ボウル部１２に向けて、進退自在に移動できるようになっている。
【００２９】
次に、図４により、本実施形態による便器装置における全体構成を説明する。洗浄水給水装手段６０は、上述したボウル部１２への洗浄水の供給を制御するためのものであり、ジェット吐水口１６、リム吐水口１８、定流量弁２０、電磁弁２２、貯水タンク３２、コントローラ４０等が含まれる。
ここで、図４のブロックＢで示したように、洗浄水は、給水源２４から、洗浄水給水手段６０により、ボウル部１２へ供給され、ボウル部１２を洗浄して、排水トラップ管路１４から、排水ソケット１７を経て、排水配管１５から外部へ排出される。
【００３０】
便器装置１は、制御手段６２を有し、この制御手段６２は、限定動作制御手段６４及び電源監視手段６６を備えている。便器装置１は、さらに、蓄電手段６８を有し、この蓄電手段６８は、電源情報手段７０を備えている。便器装置１は、この蓄電手段６８に電力を供給するための電源プラグ７２を有し、この電源プラグ７２を経て、外部の商用電源７４から蓄電手段６８に電力が供給されるようになっている。
【００３１】
便器装置１は、さらに、上述した局部洗浄装置８、洗浄開始スイッチや局部洗浄開始スイッチ等を備えたリモコンスイッチ７６、停電時に使用者が操作して便器洗浄を開始するための洗浄開始補助スイッチ７８を備えている。この洗浄開始補助スイッチ７８を、通常時のためのリモコンスイッチ７６とは別に設けることにより、使用者に、停電時であるため、通常の動作（後述する通常動作モード）とは異なる停電時用の動作モード（後述する異常動作モード）へ切り替えられたことを認識させることができる。
【００３２】
ここで、制御手段６２は、通常時（即ち、非停電時）に、ボウル部１２に洗浄水を供給する洗浄水供給手段６０、及び、使用者の局部へ洗浄水を噴出する局部洗浄装置８等を制御する（＝通常動作モード）ためのものである。この制御手段６２は、電源監視手段６６により、停電を検知することができるようになっている。
【００３３】
限定動作制御手段６４は、停電時に、ボウル部１２に洗浄水を供給する洗浄水供給手段６０のみを動作させる（＝異常動作モード）ためのものであり、このとき、局部洗浄装置８等の他の装置の動作は禁止されるようになっている。
停電時におけるこの通常動作モードから異常動作モードへの切り替えは、限定動作制御手段６４により、自動的に、即ち、使用者の判断を要することなく、行われる。
【００３４】
蓄電手段６８は、例えば、蓄電池であり、商業電源７４から供給される電力を一時的に蓄電でき、通常時には、通常電源として、また、停電時には、非常用電源として機能するようになっている。また、電源情報手段７０は、停電を検知するためのものであり、商業電源７４の電源電圧に関する信号を検出し、電源監視手段６６に送信するようになっている。
【００３５】
次に、図５を参照して、上述した本発明の第１実施形態による便器装置の動作を説明する。図５は本発明の第１実施形態による便器装置の制御内容を示すフローチャートである。ここで、Ｓは、各ステップを示している。
先ず、Ｓ１において、商業電源７４の電源電圧が９０Ｖ未満であるか否かを判定する。ＹＥＳの場合には、Ｓ２に進み、この状態が０．１秒継続したか否かを判定する。Ｓ１及びＳ２のそれぞれにおいて、ＮＯの場合には、Ｓ３に進み、限定動作制御手段６４を不作動とする、即ち、上述した通常動作モードを実行する。
【００３６】
次に、Ｓ２においてＹＥＳの場合には、Ｓ４に進み、電源情報手段７０により停電を検知し、さらに、Ｓ５に進み、電源監視手段６６により停電を検知する。次に、Ｓ６に進み、限定動作制御手段６４を作動させる。具体的には、上述した異常動作モードを実行する。この異常動作モードでは、上述したように、ボウル部１２に洗浄水を供給する洗浄水供給手段６０のみを動作させ、局部洗浄装置８等の他の装置の動作は禁止される。
【００３７】
Ｓ７において、使用者により、各種操作、即ち、リモコンスイッチ７６により、局部洗浄装置８の開始スイッチ等を操作しても、Ｓ８において、この局部洗浄装置８の動作が禁止される。
【００３８】
次に、Ｓ９において、使用者が、停電であることを認識して、洗浄開始補助スイッチ７８を操作して便器洗浄操作がなされると、Ｓ１０において、便器洗浄動作、即ち、洗浄水供給手段６０により洗浄水がボウル部１２に供給されて、洗浄動作のみが実行される。
【００３９】
以上説明したように、本発明の第１実施形態による便器装置においては、制御手段６２が、通常時に、洗浄水給水手段６０と局部洗浄装置８を通常電源により電気的に駆動させる通常動作モードを実行し、限定動作制御手段６４により、停電時に洗浄水給水手段６０のみを非常用電源により電気的に駆動させる異常動作モードを実行するようになっている。また、停電時において、制御手段６２が、通常動作モードから異常動作モードへの切り替えを実行する。この結果、本実施形態による便器装置によれば、局部洗浄装置８等の便器洗浄以外の機能を備えた便器装置１であっても、停電時には、洗浄水給水手段６０によるボウル部１２の洗浄のみを実行するようにしているので、停電時の電力使用量を最低限の量とすることができる。その結果、本実施形態によれば、停電時に、ボウル部１２の洗浄のみを実行する最低限の電力で足りるので、非常用電源の容量を小さくすることができる。
【００４０】
次に、図６を参照して、本発明の第２実施形態による便器装置を説明する。図６は本発明の第２実施形態による便器装置を示すブロック図である。なお、この第２実施形態による便器装置の基本構成は、上述した第１実施形態による便器装置と同じであるので、以下、異なる部分のみ説明する。  
【００４１】
第２実施形態による便器装置８０は、第１実施形態の蓄電手段６８の代りに、非常用電源として、インバータ８４、電源プラフ８５、ＤＣバッテリー８６を備えている。また、使用者が停電を認識したとき、上述した通常動作モードと異常動作モードをマニュアルで切り替え可能な切替スイッチ８８を備えている。
【００４２】
この第２実施形態においては、電源プラグ８５を設けることにより、市販の非常用電源であるＤＣバッテリー８６を用いることができ、装置全体が安価となる。さらに、停電時に非常用電源であるＤＣバッテリー８６を準備することもできる。
また、使用者が、停電であると認識したとき、自らの判断で、切替スイッチ８８により、通常動作モードから異常動作モードへ切り換えることができるので、使用者は、停電時には、便器洗浄のみが実行され、局部洗浄装置８等の他の機能の実行が禁止されることを認識し、安心して、便器装置を使用することができる。
【００４３】
次に、図７を参照して、本発明の第３実施形態による便器装置を説明する。図７は本発明の第３実施形態による便器装置を示すブロック図である。なお、この第３実施形態による便器装置の基本構成は、上述した第１実施形態及び第２実施形態による便器装置と同じであるので、以下、異なる部分のみ説明する。  
【００４４】
第３実施形態による便器装置９０は、第１実施形態の蓄電手段６８の代りに、非常用電源として、無停電電源９４を備えている。また、上述した通常動作モードと異常動作モードとを使用者がマニュアルで切り替え可能な切替スイッチ８８を備えている。
【００４５】
この第３実施形態においては、小容量の無停電電源９４を設けることができ、病院等の医療機関においても、停電時に、異常動作モードを実行することができる。また、医療機関においては、停電が継続して、無停電電源による電源維持が難しくなった場合には、使用者の判断により、切替えスイッチ８８を敢えて操作せず、異常動作モードを実行しないこともできる。これにより、より優先順位の高い医療機器のために電源を確保するが可能となる。
【符号の説明】
【００４６】
１，８０，９０  便器装置
２  便器本体
８  局部洗浄装置
１２  ボウル部
１４  排水トラップ管路
２４  給水源
６０  洗浄水給水手段
６２，８２，９２  制御手段
６４  限定動作制御手段
６６  電源監視手段
６８  蓄電手段
７０  電源情報手段
７２，８５  電源プラグ
７４  商業電源  
７６  リモコンスイッチ
７８  洗浄開始補助スイッチ
８４  インバータ
８６  ＤＣバッテリー
９４  無停電電源
【図１】
2013028956.tif 000003
【図２】
2013028956.tif 000004
【図３】
2013028956.tif 000005
【図４】
2013028956.tif 000006
【図５】
2013028956.tif 000007
【図６】
2013028956.tif 000008
【図７】
2013028956.tif 000009